(57)【要約】【課題】取り付け金具を必要としない薄型表示装置のチルトスタンド取り付け構造を提供する。【解決手段】本発明による薄型表示装置のチルトスタンド取り付け構造は、フロントキャビネット部の内方に突出したボス部と、フロントパネル部の内側に配置され、ボス部を取り囲むように嵌合する嵌合部を備える表示パネル部と、リアキャビネット部と、表示パネル部の嵌合部分と前記リアキャビネットに挟まれるように配置されたチルトスタンドの支持部と、リアキャビネット部、支持部、表示パネルの嵌合部分、を貫通してボス部に螺入した螺子と、から成る。【選択図】図２
2008129390.tif 000002
【特許請求の範囲】
【請求項１】
フロントキャビネット部と、
リアキャビネット部と、
前記フロントキャビネット部と前記リアキャビネット部とによって囲まれる表示パネル部と、
を備える液晶テレビを、チルトスタンドに備えられた支持部に取り付ける液晶テレビのチルトスタンド取り付け構造において、
フロントキャビネット部は、当該フロントキャビネット部の背面方向へ隆起したボス部を有していて、
前記ボス部は内部に螺子孔を備え、
前記表示パネル部は、前記ボス部に嵌合する凹部を有する嵌合部を備え、
前記嵌合部は前記螺子孔に通じる第一貫通孔を備え、当該第一貫通孔は、前面側における、前記螺子孔と同径の孔部分と、背面側における、前記支持部に当接する面に至るにしたがい大径となるテーパー形状部分と、からなり、
前記支持部は、前記嵌合部と前記リアキャビネットに挟まれるように配置され、第二貫通孔を備え、
前記リアキャビネット部は、第三貫通孔を備え、
前記第一貫通孔と前記第二貫通孔と前記第三貫通孔は、前記螺子孔と同一軸であり、
前記第一貫通孔と前記第二貫通孔と前記第三貫通孔を貫通して螺入する螺子を備え、
前記螺子の先端部分は前記ボス部の前記螺子孔に螺入して、前記フロントキャビネット部と前記表示パネル部と前記支持部と前記リアキャビネット部とを共締めし、
また、前記フロントキャビネット部は、第二ボス部を備えていて、当該第二ボス部は内部に第二螺子孔を備え、当該第二ボス部の先端面は前記支持部の前面と当接していて、
前記支持部は、前記第二螺子孔に通じる第四貫通孔を備え、
前記リアキャビネット部は第五貫通孔を備え、
前記第四貫通孔と前記第五貫通孔は、前記第二螺子孔と同一軸であり、
前記第四貫通孔と前記第五貫通孔を貫通して螺入する第二螺子を備え、
前記第二螺子の先端部分は前記第二ボス部の前記第二螺子孔に螺入して、前記フロントキャビネット部と前記支持部と前記リアキャビネット部とを共締めし、
前記ボス部および前記第二ボス部は、根元部分から先端部分に至るにしたがい小径となるテーパー状の外形を有する円筒形状であることを特徴とする薄型表示装置のチルトスタンド取り付け構造。
【請求項２】
フロントキャビネット部の内方に突出したボス部と
前記フロントパネル部の内側に配置され、前記ボス部を取り囲むように嵌合する嵌合部を備える表示パネル部と、
リアキャビネット部と、
前記表示パネル部の前記嵌合部と前記リアキャビネットに挟まれるように配置されたチルトスタンドの支持部と、
前記リアキャビネット部、前記支持部、前記表示パネルの嵌合部、を貫通して前記ボス部に螺入した螺子と、
から成る薄型表示装置のチルトスタンド取り付け構造。
【請求項３】
フロントキャビネット部と、
リアキャビネット部と、
前記フロントキャビネット部と前記リアキャビネット部とによって囲まれる表示パネル部と、
を備える薄型表示装置を、チルトスタンドに備えられた支持部に取り付ける薄型表示装置のチルトスタンド取り付け構造において、
フロントキャビネット部は、当該フロントキャビネット部の背面方向へ隆起したボス部を有していて、
前記ボス部は内部に螺子孔を備え、
前記表示パネル部は、前記ボス部に嵌合する凹部を有する嵌合部を備え、
前記嵌合部は前記螺子孔に通じる第一貫通孔を備え、
前記支持部は、前記嵌合部と前記リアキャビネットに挟まれるように配置され、第二貫通孔を備え、
前記リアキャビネット部は、第三貫通孔を備え、
前記第一貫通孔と前記第二貫通孔と前記第三貫通孔は、前記螺子孔と同一軸であり、
前記第一貫通孔と前記第二貫通孔と前記第三貫通孔を貫通して螺入する螺子を備え、
前記螺子の先端部分は前記ボス部の前記螺子孔に螺入して、前記フロントキャビネット部と前記表示パネル部と前記支持部と前記リアキャビネット部とを共締めすることを特徴とする薄型表示装置のチルトスタンド取り付け構造。
【請求項４】
前記フロントキャビネット部は、第二ボス部を備えていて、当該第二ボス部は内部に第二螺子孔を備え、当該第二ボス部の先端面は前記支持部の前面と当接していて、
前記支持部は、前記第二螺子孔に通じる第四貫通孔を備え、
前記リアキャビネット部は第五貫通孔を備え、
前記第四貫通孔と前記第五貫通孔は、前記第二螺子孔と同一軸であり、
前記第四貫通孔と前記第五貫通孔を貫通して螺入する第二螺子を備え、
前記第二螺子の先端部分は前記第二ボス部の前記第二螺子孔に螺入して、前記フロントキャビネット部と前記支持部と前記リアキャビネット部とを共締めすることを特徴とする請求項３に記載のチルトスタンド取り付け構造。
【請求項５】
前記第一貫通孔は、
前面側における、前記螺子孔と同径の孔部分と、
背面側における、前記支持部に当接する面に至るにしたがい大径となるテーパー形状部分と、
からなることを特徴とする請求項３または４に記載のチルトスタンド取り付け構造。
【請求項６】
前記ボス部および前記第二ボス部は円筒形状であることを特徴とする請求項３〜５のいずれかに記載のチルトスタンド取り付け構造。
【請求項７】
前記ボス部および前記第二ボス部は、根元部分から先端部分に至るにしたがい小径となるテーパー状の外形を有する円筒形状であることを特徴とする請求項３〜６のいずれかに記載のチルトスタンド取り付け構造。
【発明の詳細な説明】
【技術分野】
【０００１】
本発明は、薄型表示装置に関し、特に、この薄型表示装置のキャビネット部と表示パネル部とチルトスタンドに取り付けられた支持部との取り付け構造に関する。
【背景技術】
【０００２】
薄型表示装置は、キャビネット（箱体）部と、このキャビネット部に囲まれた表示パネル部とを備え、さらに、この薄型表示装置をテレビ台などの上に設置する場合、設置させるためのスタンドを必要とし、このスタンドに備えられた支持部にキャビネット部を取り付ける。また、このスタンドは、チルト（角度調整機能付き）式のチルトスタンドが用いられている。これは、薄型表示装置が前後の省スペース性能に優れているため、その優位点を生かして上下方向や左右方向に角度調整を可能にしたものである。
【０００３】
この、支持部とキャビネット部は、キャビネット部に設けられたボス部と、支持部に設けられた螺子孔とを、共通の螺子によって共締めすることで固定される。この共締めによって、キャビネット部（キャビネット部の内部に備えられている表示パネル部などを含む）の全重量を支えている。
【０００４】
また、上述のチルト機能を利用した場合、とりわけ上下方向にチルトした（傾けた）場合はこの支持部にさらに応力がかかることになる。またさらに、表示パネル部は、この上下方向のチルト時に、自重により歪みが生じることがあり、この歪みにより、映像が劣化したり、フロントキャビネット部との間に隙間が生じてホコリが入ったりすることが問題になっていた。そこで、このような問題を解決するために、表示パネル部を、下方からと後方（背面方向）からの二方向から支持固定する取り付け金具を別途設ける構成を用いている。以下に従来のチルトスタンド取り付け構造を、図を用いて述べる。
【０００５】
図６に従来の薄型表示装置である液晶表示装置のチルトスタンド取り付け構造の断面模式図を示す。この液晶表示装置はフロントキャビネット１０２とリアキャビネット１０３と表示パネル部１０４と支持部１０１と取り付け金具１０５とを備えている。フロントキャビネット１０２とリアキャビネット１０３は表示パネル部１０４を取り囲み、表示装置部（フロントキャビネット１０２と表示パネル部１０４とリアキャビネット１０３）を構成している。この表示装置部を支持部１０１に取り付けるためのボス部１０７ａ、１０７ｂがフロントキャビネット部１０２から背面へ向けて突起している。このボス部１０７ａ、１０７ｂにはそれぞれ内部に螺子孔１０２ａ、１０２ｂが設けられている。また、支持部１０１には貫通孔１０１ａ、１０１ｂが設けられている。リアキャビネット部１０３には、このボス部１０７ａ、１０７ｂに対応する位置に貫通孔１０３ａ、１０３ｂが設けられており、背面側から螺子１０８ａ、１０８ｂが挿入され、表示パネル部１０４を囲む形でフロントキャビネット部１０２および支持部１０１との固定がなされる。
【０００６】
しかし、これだけでは表示パネル部１０４が固定されず、上述のように上下方向のチルト時に歪みが生じる。そこで、表示パネル部１０４の下部の一部分（下面の一部分１０４ａと背面の一部分１０４ｂ）と当接する形状をした部分を有する取り付け金具１０５を使用する。取り付け金具１０５の下部分は、支持部１０１とフロントキャビネット部１０２のボス部１０７ａとの間に挟み込まれる。また、取り付け金具１０５は、ボス部１０７ａの螺子孔に対応した位置に貫通孔１０５ａが設けられている。これらの貫通孔１０５ａ、１０３ａに螺子１０８ａをリアキャビネット部１０３の背面から挿入して上述のフロントキャビネット部１０２と支持部１０１とリアキャビネット１０３と共に共締めする。この共締めによって、取り付け金具１０５が固定される。また、表示パネル部１０４の背面における取り付け金具１０５が当接する一部分１０４ｂには、螺子孔１０４ｃが設けられていて、取り付け金具１０５にも、この螺子孔１０４ｃに対応する位置に貫通孔１０５ｃが設けられている。この螺子孔１０４ｃと貫通孔１０５ｃに螺子１０８ｃを挿入して共締めする。この共締めによって取り付け金具１０５に表示パネル部１０４が支持固定される。
【０００７】
このような構成により、表示パネル部１０４は上下方向および前後方向に固定され、支持部１０１を前後に傾けても、表示パネル部１０４の位置ずれや歪みが生じない。
【０００８】
なお、上記のようなスタンドへの取り付けではないが、部材間の取り付け（連結）に取り付け金具を用いた技術としては、例えば特許文献１に記載されている。
【特許文献１】特開２００５−３３１８１５号公報
【発明の開示】
【発明が解決しようとする課題】
【０００９】
しかしながら、薄型表示装置において、技術の向上と市場の拡大とともに表示画面の大型化が進む一方、この表示画面の大型化に対して、比較的小型の薄型表示装置は市場競争による価格の低下が著しく、作業効率の向上や資材コストの削減が重要視されている。
【００１０】
そこで本発明は、上記の問題に鑑みてなされたものであり、取り付け金具を設けずに、チルト時に、表示パネル部に歪みが生じることがない、薄型表示装置のチルトスタンド取り付け構造を提供することを目的とするものである。
【課題を解決するための手段】
【００１１】
上記目的を達成するため、本発明による薄型表示装置のチルトスタンド取り付け構造は、フロントキャビネット部と、リアキャビネット部と、フロントキャビネット部とリアキャビネット部とによって囲まれる表示パネル部と、を備える薄型表示装置を、チルトスタンドに備えられた支持部に取り付ける薄型表示装置のチルトスタンド取り付け構造において、フロントキャビネット部は、このフロントキャビネット部の背面方向へ隆起したボス部を有していて、ボス部は内部に螺子孔を備え、表示パネル部はボス部に嵌合する凹部を有する嵌合部を備え、この嵌合部は螺子孔に通じる第一貫通孔を備え、支持部は、嵌合部とリアキャビネットに挟まれるように配置されるとともに第二貫通孔を備え、リアキャビネット部は第三貫通孔を備え、第一貫通孔と第二貫通孔と第三貫通孔は、螺子孔と同一軸であり、第一貫通孔と第二貫通孔と第三貫通孔を貫通して螺入する螺子を備え、螺子の先端部分はボス部の螺子孔に螺入して、フロントキャビネット部と表示パネル部と支持部とリアキャビネット部とを共締めすることを特徴とする。
【００１２】
このような構成により、表示パネル部を支持固定するための取り付け金具を別途必要としない薄型表示装置のチルトスタンド取り付け構造が可能になる。したがって、作業効率の向上やコストの削減が可能になる。
【００１３】
またさらに、上記目的を達成するため、本発明による薄型表示装置のチルトスタンド取り付け構造は、フロントキャビネット部は第二ボス部を備えていて、この第二ボス部は内部に第二螺子孔を備え、この第二ボス部の先端面は支持部の前面と当接していて、支持部は第二螺子孔に通じる第四貫通孔を備え、リアキャビネット部は第五貫通孔を備え、第四貫通孔と第五貫通孔は第二螺子孔と同一軸であり、第四貫通孔と第五貫通孔を貫通して螺入する第二螺子を備え、第二螺子の先端部分は第二ボス部の第二螺子孔に螺入して、フロントキャビネット部と支持部とリアキャビネット部とを共締めすることを特徴とする。
【００１４】
このような構成により、より強固に取り付け構造を形成することが可能になり、特にチルト時に表示パネル部の上記嵌合部にかかる応力を緩和、軽減することが可能になる。
【００１５】
またさらに、上記目的を達成するため、本発明による薄型表示装置のチルトスタンド取り付け構造は、第一貫通孔は、前面側における、螺子孔と同径の孔部分と、背面側における、支持部に当接する面に至るにしたがい大径となるテーパー形状部分と、からなることを特徴とする。
【００１６】
このような構成により、背面側から螺子を螺入する際に、この螺子の先端部を第一貫通孔に誘導することが容易になる。したがって、組み立て時の作業効率が向上し、また、螺子の先端部によって表示パネル部を傷つけることがなくなる。
【００１７】
またさらに、上記目的を達成するため、本発明による薄型表示装置のチルトスタンド取り付け構造は、ボス部および第二ボス部は円筒形状であることを特徴とする。
【００１８】
このような構成により、応力や衝突に強い構成となり、耐久性が向上する。
【００１９】
ボス部および第二ボス部は、根元部分から先端部分に至るにしたがい小径となるテーパー状の外形を有する円筒形状であることを特徴とする。
【００２０】
このような構成により、ボス部および第二ボス部にかかる応力に対し、さらに強固な構成となる。
【発明の効果】
【００２１】
本発明の薄型表示装置のスタンド取り付け構造によれば、表示パネル部の背面に用いられていた取り付け金具が必要なくなり、資材コストの削減および作業効率の向上が可能になる。
【発明を実施するための最良の形態】
【００２２】
以下に、本発明の実施形態について図面を参照しながら詳述する。先ず、本発明の第１実施形態である液晶テレビのスタンド取り付け構造について説明する。図１は本実施形態の液晶テレビの分解斜視図である。図２は本実施形態の取り付け構造の主要部における断面図である。図３は本実施形態の表示パネル部４の背面図である。図４は本実施形態のチルト装置の斜視図である。図５は本実施形態の保護リブ１１の拡大斜視図である。ただし図１では細部の符号は付さない。
【００２３】
図１に示すように、本実施形態の液晶表示装置は、前面側にフロントキャビネット部２と背面側にリアキャビネット部３とが箱体として設けられ、この箱体によって囲まれる表示パネル部４を有する。またさらに、この液晶表示装置をテレビ台などの上に据え置く場合に必要なチルトスタンド１０に備えられた支持部１を備えている。
【００２４】
フロントキャビネット部２は、前面視において内部に開口部を有する額縁形状をなしている。その開口部からは、このフロントキャビネット部２の背面に位置する表示パネル部４の表示面が見えるようになっている。この開口部の輪郭形成部分の背面側と表示パネル部４の表示面側は互いに接し、隙間が生じないようになっている。
【００２５】
また、このフロントキャビネット部２の背面には、複数のボス部が設けられている。ただしここでは本件の主要部に関するボス部７ａ、７ｂについてのみ説明する。図２に示すように、ボス部７ａ、７ｂはこのフロントキャビネット部２から背面方向に向かって垂直に突起している形になっている。このボス部７ａ、７ｂにはそれぞれ内部に螺子孔２ａ、２ｂが設けられている。２種類のボス部７ａ、７ｂのうち、底面側にあるボス部７ｂは、その長さが、後述する支持部１に当接するまで延びている。また外形は円柱状を成していて、外部からの応力に強い形状となっている。また、このボス部７ｂの背面側に位置する先端部分よりも前面側に位置する根元部分の方が太くなっており、すなわち、根元部分から先端部分に至るにしたがい小径となるテーパー状の外形を有し、これによりさらに強度を増している。また内部には螺子孔２ｂを有し、この螺子孔２ｂはボス部７ｂの長さと同等の長さを有している。
【００２６】
一方、ボス部７ａは、下部のボス部７ｂに比べて長さが短い。これは、後述する、支持部１とボス部７ａとの間に、表示パネル部４の支持基板体４ｂから延長して設けられたボス嵌合部４ａの一部が介在するからである。このボス部７ａも、ボス部７ｂと同様に、外形は円柱状をしており、外部からの応力に強い形状となっている。また、背面側に位置するこのボス部７ａの先端部分よりも前面側に位置する根元部分の方が太くなっており、これによりさらに強度を増している。また、内部には螺子孔２ａを有し、この螺子孔２ａはボス部７ａの長さと同等の長さを有している。また、この螺子孔２ａに挿入される螺子８ａは、リアキャビネット部３の背面から挿入される。これらボス部７ａ、７ｂはフロントキャビネット部２と一体成形によって形成されている。
【００２７】
図２、図３に示すように、表示パネル部４は、表示部４ｃとこの表示部４ｃを支持する支持基板体４ｂとを備えている。この支持基板体４ｂはＡＢＳ樹脂（Ａｃｒｙｌｏｎｉｔｒｉｌｅ  Ｂｕｔａｄｉｅｎｅ  Ｓｔｙｒｅｎｅ共重合化合物）によって構成されており、剛性、硬度、耐衝撃性、曲げ疲労性に優れたエンジニアリングプラスチックである。表示部４ｃには液晶パネルや配線基板などが含まれるがこれらは全てこの支持基板体４ｂに螺子や接着剤又は係合部などによって取り付けられている。
【００２８】
支持基板体４ｂの下部背面側からはボス部７ａの先端部分を含む一部と嵌合する窪みを有するボス嵌合部４ａが形成されている。このボス嵌合部４ａは支持基板体４ｂの下端部から背面方向に隆起し、その隆起した部分からさらに下方に伸び、この下方に伸びた部分は、ボス部７ａの先端部分を含む一部を覆う形状になっている。また、ボス部７ａの螺子孔２ａに相当する部分には、その螺子孔２ａと同じ径を有する貫通孔４ｂが設けられている。この貫通孔４ｂはボス部７ａの先端面と嵌合して当接する面から背面側へ貫通しており、このボス嵌合部４ａとボス部７ａとを嵌め合わせたときに一本の螺子８ａが背面側から通るようになっている。また、このボス嵌合部４ａの支持部１と当接する面から貫通孔４ｂにかけて、テーパー状に窪み部分４ｄが形成されている。これにより螺子８ａをリアキャビネット３の背面側から挿入するときに、螺子８ａを貫通孔４ｂに誘導することが容易になり、作業効率が向上する。また、支持部１の前面と当接する面の上端から支持基板体４ｂの背面にかけて、三角リブ４ｅが形成されている。これにより、このボス嵌合部４ａにかかる応力に対する機械的強度が増している。
【００２９】
支持部１は、金属で形成されている。また、チルト機能が備えられたチルト装置に設けられているため、この液晶表示装置を上下に傾けることが可能である。また、図４に示すように、チルトスタンド１は、折り曲げ部１ｃを有している。これは液晶表示装置の重量がこの支持部１にかかり、上下方向にチルトしたときにはその重量が前後方向にかかるため、この支持部１の前後方向の強度を増すために設けられたものである。また、貫通孔１ａ、１ｂが設けられている。この貫通孔１ａ、１ｂは、上述のボス部７ａ、７ｂに対応した位置に形成されていて、螺子８ａ、８ｂを通すための孔である。
【００３０】
リアキャビネット部３は表示パネル部４を背面から覆い、フロントキャビネット部２と螺子８ａや係合部（図示しない）などによって締結されて表示パネル部４を囲む。リアキャビネット部３の下部には、貫通孔３ａ、３ｂが形成されており、上記同様に、ボス部７ａ、７ｂに対応した位置に形成されている。この対応した位置とは、これらの部材を組み立てた際に、螺子８ａ、８ｂが貫通するように決められた位置を意味する。
【００３１】
このようにして形成されたフロントキャビネット部２と表示パネル部４とリアキャビネット部３と支持部１は、図１、図２に示すように、前面からフロントキャビネット部２、表示パネル部４、支持部１、リアキャビネット部３の順で重ね合わされ、それぞれの孔の位置を一致させて螺子８ａ、８ｂを通し共締めする。螺子８ａ、８ｂの鍔部はリアキャビネット部３の背面に当接し、それぞれの部材を固定する。このとき、表示パネル部４のボス嵌合部４ａはボス部７ａに嵌合させた状態で取り付ける。
【００３２】
このような構成により、それぞれの部材が固定される。この液晶表示装置を後方にチルトさせたときに、表示パネル部４のボス嵌合部４ａの背面側に向いた面が支持部１と当接して押さえつけられるため、表示パネル部４が自重によって歪むことがなく、したがって、この表示パネル部４のフロントキャビネット部２と表示パネル部４の間に隙間が現れない。
【００３３】
また、本実施形態では、上述のボス嵌合部４ａが表示パネル部４の下部に突き出た形状となっているため、他の部材との組み立て前段階において、落下や衝突によって破損する恐れがある。そこで、このボス嵌合部４ａよりも下部に突き出た保護リブ１１を設ける。この保護リブ１１は表示面に対して平行な板状部分１１ａと、この板状部の縁に垂直に形成された隆起部分１１ｂを有する。また、板状部分１１ａを左右方向に二分するように、隆起部分１１ｃが設けられている。これらの隆起部分１１ｂ、１１ｃによってこの保護リブ１１の重量の増加を抑制しつつ、強度が増すため、落下や衝突などによる衝撃に耐えることが可能になり、この保護リブ１１およびボス嵌合部４ａおよび表示パネル部４全体の破損を防ぐことが可能になる。また、この保護リブ１１に係止部を設けることにより、ワイヤークランパーとしての機能を付加させることも可能である。
【００３４】
その他本発明は上記の各実施形態に限定されず、本発明の趣旨を逸脱しない範囲で、種々の変更が可能である。
【図面の簡単な説明】
【００３５】
【図１】本実施形態の液晶テレビの分解斜視図である。
【図２】本実施形態の取り付け構造の主要部における断面図である。
【図３】本実施形態の表示パネル部の背面図である。
【図４】本実施形態のチルトスタンドの拡大図である。
【図５】本実施形態の保護リブの斜視図である。
【図６】従来の薄型表示装置の取り付け構造を示す断面図である。
【符号の説明】
【００３６】
１    支持部
１ａ  貫通孔
１ｂ  貫通孔
２    フロントキャビネット部
２ａ  螺子孔
２ｂ  螺子孔
３    リアキャビネット部
３ａ  貫通孔
３ｂ  貫通孔
４    表示パネル部
４ａ  ボス嵌合部
４ｂ  貫通孔
４ｄ  窪み部分
７ａ  ボス部
７ｂ  ボス部
８ａ  螺子
８ｂ  螺子
【図１】
2008129390.tif 000003
【図２】
2008129390.tif 000004
【図３】
2008129390.tif 000005
【図４】
2008129390.tif 000006
【図５】
2008129390.tif 000007
【図６】
2008129390.tif 000008